(57)【要約】【課題】従来のプーリープラーは爪が固定されているため、装着した後に位置の修正や微調整を行うことができず、一度装着を解除して再度装着しなければならなかった。したがって装着時には注意を払わなければ、装着に失敗してやり直さなければならなかった。また、サービスタップを用いてプーリーに固定用プレートを固定する際、従来のものでは位置合わせが困難で、装着に時間がかかってしまった。【解決手段】プーリーを掛止する引掛爪を備えた一対の対向する爪保持体と、前記一対の保持体の中間に押圧体支持部を備えたプーリープラーであって、前記引掛爪を回転可能に設定するとともに回転軸方向へのスライド移動を可能なローラー形状としたことを特徴とする。【選択図】図１
2005212062.tif 000002
【特許請求の範囲】
【請求項１】
プーリーを掛止する引掛爪を備えた一対の対向する爪保持体と、前記一対の保持体の中間に押圧体支持部を備えたプーリープラーにおいて、
前記引掛爪は回転可能であるとともに回転軸方向へのスライド移動が可能なローラー形状としたことを特徴とするプーリープラー。
【発明の詳細な説明】
【技術分野】
【０００１】
本発明は、自動車等に装着されたプーリーを軸から離脱させるために用いるプーリープラーに関するものである。
【背景技術】
【０００２】
従来、プーリープラーとしては実開平７−２７７６６号にて開示された形態のものがある。このプーリープラーは、離脱させようとするプーリーに装着するための手順が多く、大変難しいものであるとともに装着には大変時間がかかるものであった。
【特許文献１】実開平７−２７７６６号公報
【０００３】
この問題を解決するものとして、特開平９−１５５７５９号にて開示された形態のプーリープラーがある。これは、一本のねじをしめることにより、一対の引掛爪を均等に寄せると同時に押圧体の中心を自動的に一対の引掛爪の中間に位置させるようにしたものである。このプーリープラーは従前のものと比べてプーリーに装着する手間が軽減され、装着に係る時間は大幅に短縮されるものであった。
【特許文献２】特開平９−１５５７５９号公報
【０００４】
一方、プーリーはプーリー軸にねじ止めされているから、引き抜く前に前記ねじを抜いてプーリーとプーリー軸の結合を解かなければならない。しかしこのねじを回転させようとすると、同時にプーリーが回転してしまってねじが外れないから、一時的にプーリーが回転しないように固定する必要がある。その際、従来は図４に示すようなプーリー固定用プレートを、プーリーに設けられたサービスタップを用いてねじ止めし、スピンナハンドル等を用いて固定することでプーリーの回転を規制していた。
【０００５】
しかし前記プレートの装着は、プレート上に設けられた長孔状の溝とサービスタップの軸線を合わせなければならず、位置合わせの機構を有していない従来のプレートを装着するのは非常に難しいものであった。また、該プレートには押圧体保持部を備えたものもあり、その場合押圧体がプーリー中心上にあるよう位置設定しなければならず、プレートの位置設定がさらに困難なものであった。
【発明の開示】
【発明が解決しようとする課題】
【０００６】
前述した従来の特開平９−１５５７５９号公報に記載されるようなプーリープラーは爪が固定されているため、装着した後に位置の修正や微調整を行うことができず、一度装着を解除して再度装着しなければならなかった。したがって装着時には注意を払わなければ、装着に失敗してやり直さなければならなかったし、固定状態にある爪保持体と爪の間の隙間の大きさによっては、プーリーのつばの厚みの大きいものに対しては使用できなかったり爪を交換しなければならなかった。また、サービスタップを用いてプーリーに固定用プレートを固定する際、従来のものでは位置合わせが困難で、装着に時間がかかってしまった。
【課題を解決するための手段】
【０００７】
前述した課題を解決するために本発明は、引掛爪を回転可能に設定するとともに回転軸方向へのスライド移動が可能なローラー形状としたことを特徴とするものである。
【発明の効果】
【０００８】
本実施例のプーリープラーを用いれば、複数ある引掛爪がそれぞれ他の引掛爪と異なるプーリー溝に引っ掛かってしまったとしても、各回転爪が独立してスライド移動可能であるから自動的にスライド基盤とプーリーが平行に設定されるものである。したがって、従来のプーリープラーのような斜め掛けによるプーリー破損のおそれがない。
【０００９】
また、回転爪によりプーリーを掛止するから、プーリーに装着した後でもプーリープラーのみ回転させることができ、例えばプーリープラーに設けた溝とプーリーのサービスタップの軸線を合わせるなど、位置調整を行うことができる。
【実施例】
【００１０】
以下、本発明の代表的な実施の形態を図に基づいて説明する。本実施例のプーリープラーは、肉厚の支持板２の片面に２本の平行な長尺状のガイド棒６が垂直に固定され、その先端部には爪保持体４が２本のガイド棒６をまたいで固定されている。さらに前記ガイド棒６には、支持板２側から順に爪保持体３、スライド基盤５がそれぞれ２本のガイド棒６をまたいで摺動可能に設けられている。
【００１１】
前記爪保持体３、４は、それぞれ同方向すなわちプーリー２０を保持する方向にスライド軸１０を介して回転爪１１が２ヶ所ずつ、計４ヶ所に配置されている。また、爪保持体３、４と回転爪１１の間にはスライド軸１０と同軸上に押しばね１２が設けられており、回転爪１１はそれぞれ独立してスライド軸１０の軸線方向に移動可能であるとともに、当初の位置より移動すると押しばね１２により付勢され、負荷が無くなると元の位置に戻るものである。なお、前記回転爪１１はプーリー２０を保持した際に全ての回転爪がプーリー２０に当接するよう設定されている。
【００１２】
前記スライド基盤５は肉厚の板状体であって、中心に押圧体保持部１４が設けられるとともに、スライド基盤５の対角線上であって押圧体保持部１４に干渉しない位置に長孔状の溝１３が設けられている。
【００１３】
支持板２中央にはねじ孔１８が設けられ、後端部にハンドル１５を備えた長尺状のねじ軸７が螺挿されており、先端部が前記爪保持体３の側部中央部に回動可能に固定されている。また、前記ねじ軸７の前半部中心には、該ねじ軸７と同じ向きでピッチが１／２のめねじ９が形成されている。さらに前記めねじ９には調整ねじ軸８が螺挿されており、その先端部は前記スライド基盤５の側部中央部に回動不可能に固定されている。
【００１４】
本実施例のプーリープラーはこのような基本構成からなり、ハンドル１５を時計方向に回転させるとねじ軸７が移動すると同時に爪保持体３がガイド棒６に沿って前方（図中右方）へ移動し、爪保持体３、４にそれぞれ設けられた回転爪１１によりプーリー２０の凹部を挟持することになる。
【００１５】
このねじ軸７の前半部中心には、ねじ軸７と同方向でピッチが１／２のめねじ９が設けられ、このめねじ９に調整ねじ軸８がねじ込まれているため、ねじ軸７の移動量に対して調整ねじ軸８は常にねじ軸７の進行方向とは逆の方向に１／２進むことになる。したがって、あらかじめ固定された爪保持体４と摺動可能な爪保持体３の中間位置にスライド基盤５の中心が位置するようにしておけば、爪保持体３の摺動位置に関係なく、スライド基盤５は常に爪保持体３、４の中間に自動的に位置し、スライド基盤５の中心に配置された押圧体支持部１４の中心はプーリー２０の軸の中心と一致することとなる。
【００１６】
ところで、一般的なプーリーは図３に示すように円周部に複数の溝が配置されている。そのため、従来のプーリープラーをプーリーに装着する際にはそれぞれの引掛爪を同位置の溝に引っ掛けなければスライド基盤とプーリーが平行にならず、もし誤って違う溝に引掛爪が掛かってしまった場合、プーリーを取り外す際にはプーリーに対して垂直方向へ押圧しなければならないところを斜め方向へ押圧してしまうこととなり、プーリーが外れないばかりか破損してしまうおそれがあった。
【００１７】
本実施例のプーリープラーを用いれば、１ヶ所ないし２ヶ所の回転爪１１が他の回転爪１１と異なる溝に引っ掛かってしまったとしても、各回転爪１１が独立してスライド移動可能であるから自動的にスライド基盤５とプーリー２０が平行に設定されるものである。したがって、前述したような斜め掛けによるプーリーの破損のおそれがない。また、爪保持体３、４と各回転爪１１の間隔を十分にとっているから、プーリーのつばの厚みが大きいものに対しても装着できるものである。
【００１８】
本実施例のプーリープラーにはスライド基盤上に長孔溝１３が設けられているから、適応するねじを長孔溝１３に挿通させてプーリー２０に設けられているサービスタップに螺合させることで、プーリープラーをプーリー上に固定することができる。従来のプーリープラーにはねじを挿通させる長孔溝が設けられていなかったし、設けられていたとしても長孔溝がサービスタップ軸線上にあるよう位置合わせをしながら装着せねばならず、一度装着するとプーリーに固定されてしまう従来のプーリープラーではサービスタップを利用したねじ固定は難しいものであった。一方本実施例のプーリープラーは回転爪１１によりプーリーを掛止するから、プーリーに装着した後でもプーリープラーのみ回転させることができ、容易に長孔溝をサービスタップ軸線上に位置させることができる。
【００１９】
なお、以上に示した実施例は、あくまでも例示であり、本件発明の実施方法を限定するものではなく、その他当業者であれば用意に考え付く種々の改良を施した状態で実施し得ることは言うまでもない。
【図面の簡単な説明】
【００２０】
【図１】本実施例のプーリープラーを表す平面図である。
【図２】本実施例のプーリープラーを表す正面一部断面図である。
【図３】本実施例のプーリープラーの使用状態を表す図である。なお、ねじ軸７および調整ねじ軸８のねじ山は省略して表している。
【図４】従来のプーリー固定用プレートを表す図である。
【符号の説明】
【００２１】
２  支持板
３  摺動可能な爪保持体
４  固定された爪保持体
５  スライド基盤
６  ガイド棒
７  ねじ軸
８  調整ねじ軸
９  めねじ
１０  スライド軸
１１  回転爪
１２  押しばね
１３  長孔溝
１４  押圧体保持部
１５  ハンドル
１６  ねじ
１７  押圧体
１８  ねじ孔
２０  プーリー
２１  固定用プレート
２２  押圧体保持部
２３  長孔溝
【図１】
2005212062.tif 000003
【図２】
2005212062.tif 000004
【図３】
2005212062.tif 000005
【図４】
2005212062.tif 000006